(57)【要約】【課題】土砂崩れ、地表の変化の発生を瞬時に周辺に報知し、事故を未然に防止する崩落災害警報装置において、危険な場所で行う設置作業を短時間で完了させ、鳥獣などによる誤動作を防止することを課題としている。【解決手段】崩落災害が発生した際に傾斜或いは転倒される地表から高く立ち上げられるセンサーケースと、該ケースの傾斜或いは転倒を検知して動作するセンサーケース内に配設されたセンサーと、センサーケース内に配設されたセンサーの信号により作動する信号発生器を有し、崩落時に爆音と共に崩落現象を住民に一斉に報知する。【選択図】図２
2006126156.tif 000002
【特許請求の範囲】
【請求項１】
崩落災害が発生した際に傾斜或いは転倒されるセンサーケースと、該ケースの傾斜或いは転倒を検知して動作するセンサーケース内に配設されたセンサーと、センサーケース内に配設されたセンサーの信号により作動する信号発生器を有する崩落災害警報装置。
【請求項２】
崩落災害が発生した際に傾斜或いは転倒されるセンサーケースの底面に地中に差し込まれて該ケースを地表より立ち上げて保持する支持杭を設けて、センサーケースを地表の変位量よりセンサーケースの変位量を大きくし、更にセンサーケース内に配置された信号発生器を火薬により空中に爆音と共に打ち上げるようにした崩落災害警報装置。
【請求項３】
崩落災害が発生した際に傾斜或いは転倒されるセンサーケースの外周面に太陽電池を設け、該電池により信号発生器の駆動電源を充電するようにした請求項１項記載の崩落災害警報装置。
【発明の詳細な説明】
【技術分野】
【０００１】  本発明は、土砂崩れ、地表の変化の発生を瞬時に周辺に報知し、事故を未然に防止する崩落災害警報装置に関するものである。崩落とは土砂、雪、などの自然物と人工的に作られた壁などの構造物を含みその物の状態が本来有るべき状態から変化した状態をいう。
【背景技術】
【０００２】  従来の崩落災害警報装置としては文献１に知られるように土砂の移動を検出するセンサー線を適宜な長さに引き回し、土砂の移動によるセンサー線の引っ張りで検出装置を作動させ警報機を動作させていた。
このような装置では土砂の移動を確実に検出できるが設置が大変であり、地表に近くセンサー線を長く張設するため鳥獣による誤動作の危険があり、このため誤動作を防止するための信号処理が必要であった。。【０００３】  また、文献２に示されるものでは地殻の変動を加速度センサーを用いて検出するようにしたものであり、地面に差し込まれる杭状の支持部材にセンサーユニットを取り付けて変化を電波信号によって送信するものである。
このような装置では一つの装置として組み立てられるため、適宜な地点に設置して使用できる点では共通するが、電波信号を用いたシステムとして使用するため複雑であり、価格的にも高価となり危険個所に数多く設置する上で好ましい装置ではない。【０００４】
【特許文献１】  特開平１１−１６０１７３号
【特許文献２】  特開平１１−２３０７９０号
【発明の開示】
【発明が解決しようとする課題】
【０００５】  解決しようとする問題点は、設置作業自体が危険な場所で短時間で作業を完了させることであり、鳥獣などによる誤動作を防止することである。
【課題を解決するための手段】
【０００６】  本発明は、上述した従来技術の課題を解決する為の手段として、崩落災害が発生した際に傾斜或いは転倒されるセンサーケースと、該ケースの傾斜或いは転倒を検知して動作するセンサーケース内に配設されたセンサーと、センサーケース内に配設されたセンサーの信号により作動する信号発生器を有することを特徴としている。
【発明の効果】
【０００７】  この発明によれば崩落災害が発生した際に傾斜或いは転倒されるセンサーケースと、該ケースの傾斜或いは転倒を検知して動作するセンサーケース内に配設されたセンサーと、センサーケース内に配設されたセンサーの信号により作動する信号発生器を有するので遠隔地の崩落災害を瞬時に多数の住民などに一度に報知でき対応を全員が即座にとることが可能で、避難などの対応を速やかに取ることができる。また、崩落災害の発生を地面から立ち上げた支持杭の先端に取り付けたユニットで検出するので僅かな地表の変化に対してユニットの変位量を大きくすることができ崩落を確実に捉えることができる。更に支持杭と
センサーのユニットからなるため自由に危険場所に差込んで設置できて電源工事やセンサーコードを張り巡らすことも無く極めて簡単に扱える利点を持つものである。
特に、崩落の現象を火薬の爆発により爆音と共に上空に打ち上げたいわゆる花火により報知するので、周辺住民に一度に知らしめることができる顕著な効果を備えるものである。
【実施例】
【０００８】  以下、この発明の実施形態の一例について図１〜図４に基づいて説明する。１は地表を指し崩落の危険がある部位を網点で印している。２はセンサーケースで樹脂あるいは金属などの対候性のある材料により内部を空洞に形成され、その底面に相当する面には中心部に地中差し込まれる支持杭３を取り付けるガイド４が設けられている。また、ガイド４は図示では突起状にしているが凹溝状にしてもよく確実に支持杭３を取り付けられる構造にされる。【０００９】  ５は支持杭を固定するネジである。６はセンサーケース２内に取り付けられたセンサーで中央が低くなる樹脂により形成された皿７の最下底部にスイッチ８の操作片９を皿７の底部の穴より突出させている。また、このスイッチ８は操作片９を押し下げることで電気的に開放され、自由になることで電気的に接続状態となる。１０は通常時にスイッチ８の操作片９押し下げ電気的に開放状態を保持する質量の大きな球で崩落災害による傾斜などの変化により球が変位した場合に操作片９を自由状態にするものであり、皿７、スイッチ８、操作片９、球１０によりセンサー６が構成される。１１はセンサーケース２の上部外周面に備えられたソーラパネル、１２はソーラパネルにより充電される電源１３となる電池、１４はソーラパネル１１の充電を制御するコントローラ１５、センサー６の動作を電波信号として送信する送信機１６を備えた電気回路基板であり、図示していないが基地局に設置した防災システムなどに信号を送り緊急の警報などを発する対応が取れる。【００１０】  １７は送信アンテナでセンサーケース２に取り付けられる。１８はセンサーケースの頂部に形成した発射筒で内部には火薬を充填した信号発生器１９を収納している。また、この信号発生器１９は火薬に発熱線あるいは圧電素子による発火装置２０によって点火されることで爆音を発生させ信号弾２０を上空に打ち上げる。２２は発射筒１８の蓋で信号発生器１９を気密に収納し、該発生器１９の発射に伴い破断して発射筒から外れ信号弾の打ち上げの障害とならないものである。【００１１】  以上のように構成したことにより、センサーケース２が土砂の崩落により支持杭３の傾斜あるいは転倒などにより傾斜するので球１０は皿７の最下底部から転動してスイッチ７の操作片９を自由状態とし発火装置２０に通電するので信号発生機１９が動作し爆音と共に信号弾２０を上空に打ち上げる。また、必要に応じて発信機を用いて基地局に設置した防災システムなどに信号を送り緊急の警報などを発することも可能である。
【図面の簡単な説明】
【００１２】
【図１】本発明の構成を示した説明図である。
【図２】本発明の崩落検出時の各部の状態を示す説明図である。
【図３】本発明の構成による電気回路図である。
【図４】本発明の設置状態及び崩落時の状態の説明図である。
【符号の説明】
【００１３】  １    地表
２    センサーケース
３    支持杭
６    センサー
１８    発射筒
１９    信号発生器
２０    信号弾
【図１】
2006126156.tif 000003
【図２】
2006126156.tif 000004
【図３】
2006126156.tif 000005
【図４】
2006126156.tif 000006